(57)【要約】      （修正有）【課題】使用の利便性を向上させるコルセットベルトを提供する。【解決手段】コルセットベルト１は、メイン帯体２及びサブ帯体を含み、サブ帯体がメイン帯体における複数個の穿設用ストリップを通ってメイン帯体に取り付けられ、これらの穿設用ストリップのうち、少なくとも１個がメイン帯体のメイン帯体右端部分２１に近接し、少なくとも他の１個がメイン帯体のメイン帯体左端部分２２に近接しており、しかも、メイン帯体のメイン帯体背面２４には、メイン帯体中間部分２９及びメイン帯体左端部分で、複数の永久磁石５１及び複数のパルスストーン５２がそれぞれ付設されている。【選択図】図３
0003225584.tif 000002
【実用新案登録請求の範囲】
【請求項１】
メイン帯体及びサブ帯体を含むコルセットベルトであって、
該メイン帯体は、ストリップ状をなし、メイン帯体右端部分と、メイン帯体左端部分と、該メイン帯体右端部分と該メイン帯体左端部分との間に介在するメイン帯体中間部分と、メイン帯体正面と、メイン帯体背面と、を含み、該メイン帯体正面は、該メイン帯体右端部分に近接した箇所に第一接合部を含み、該メイン帯体正面は、該メイン帯体左端部分に近接した箇所に第二接合部を含み、該メイン帯体背面は、該メイン帯体右端部分に近接した箇所に第三接合部を含み、該メイン帯体には、複数個の穿設用ストリップが付設されており、これらの穿設用ストリップのうち、少なくとも１個が該メイン帯体右端部分に近接し、少なくとも他の１個が該メイン帯体左端部分に近接しており、該メイン帯体背面には、該メイン帯体中間部分及び該メイン帯体左端部分で、複数の永久磁石及び複数のパルスストーンがそれぞれ付設されており、
該サブ帯体は、ストリップ状をなし、サブ帯体右端部分と、サブ帯体左端部分と、サブ帯体正面と、サブ帯体背面と、を含み、該サブ帯体は、これらの穿設用ストリップを通って、該サブ帯体背面が該メイン帯体正面に隣接するように該メイン帯体に取り付けられ、該サブ帯体背面は、該サブ帯体右端部分に近接した箇所に第四接合部を含み、該サブ帯体背面は、該サブ帯体左端部分に近接した箇所に第五接合部を含む
コルセットベルト。
【請求項２】
該第一接合部、該第二接合部、該第三接合部、該第四接合部及び該第五接合部は、それぞれ、面ファスナである
請求項１に記載のコルセットベルト。
【請求項３】
該サブ帯体は、互いに重畳して連結された上サブ帯体及び下サブ帯体を含む
請求項１に記載のコルセットベルト。
【請求項４】
これらの穿設用ストリップは、それぞれ、該メイン帯体の該メイン帯体右端部分及び該メイン帯体左端部分に近接するように設けられている
請求項１に記載のコルセットベルト。
【請求項５】
該第三接合部は、該第二接合部に対応して接合され、該第四接合部は、該第一接合部に対応して接合され、該第五接合部は、該第二接合部に対応して接合されている
請求項１に記載のコルセットベルト。
【考案の詳細な説明】
【技術分野】
【０００１】
本実用新案は、コルセットベルトに関し、特に、使用の利便性を向上できるコルセットベルトに関する。
【背景技術】
【０００２】
現在の生活において、一部の人々は、腰部への負荷を減らすためにコルセットベルトを使用している。例えば、オフィスにおいて長時間座り、長時間座り続けることによる腰及び背中の痛みが生じやすい通勤族、脊椎損傷によるリハビリが必要な患者や、（体が不自由な）高齢者層などがコルセットベルトを使用する。
【０００３】
また、産婦についても、子宮の収縮と回復を助けるためにコルセットベルトを使用すること、即ち、コルセットベルトを用いて産後の子宮下垂の問題を改善することがよくある。
【０００４】
従来のコルセットベルトの立体図である図１を参照されたい。図１は、メイン帯体９１及びサブ帯体９２を含み、サブ帯体９２がメイン帯体９１上の穿設用ストリップ９３を通ってメイン帯体９１に取り付けられた従来のコルセットベルト９を示している。使用の際、使用者（不図示）は、メイン帯体９１を腰部に縛ってから、サブ帯体９２を腰部に縛ることが可能である。
【考案の概要】
【考案が解決しようとする課題】
【０００５】
しかしながら、図１に示すように、サブ帯体９２が、ただメイン帯体９１上の穿設用ストリップ９３によってメイン帯体９１に取り付けられているだけなので、使用の際、サブ帯体９２が垂れ下がって使用者が握りにくくなり、つまり、使用者は、サブ帯体９２を握るのに労力を要するため、使用には不便である。
【課題を解決するための手段】
【０００６】
これに鑑みて、本実用新案は、メイン帯体及びサブ帯体を含むコルセットベルトを提供する。メイン帯体は、ストリップ状をなし、メイン帯体右端部分と、メイン帯体左端部分と、メイン帯体右端部分とメイン帯体左端部分との間に介在するメイン帯体中間部分と、メイン帯体正面と、メイン帯体背面と、を含み、メイン帯体正面は、メイン帯体右端部分に近接した箇所に第一接合部を含み、メイン帯体正面は、メイン帯体左端部分に近接した箇所に第二接合部を含み、メイン帯体背面は、メイン帯体右端部分に近接した箇所に第三接合部を含み、メイン帯体には、複数個の穿設用ストリップが付設されており、これらの穿設用ストリップのうち、少なくとも１個がメイン帯体右端部分に近接し、少なくとも他の１個がメイン帯体左端部分に近接しており、メイン帯体背面には、メイン帯体中間部分及びメイン帯体左端部分で、複数の永久磁石及び複数のパルスストーンがそれぞれ付設されており、サブ帯体は、ストリップ状をなし、サブ帯体右端部分と、サブ帯体左端部分と、サブ帯体正面と、サブ帯体背面と、を含み、サブ帯体は、これらの穿設用ストリップを通って、サブ帯体背面がメイン帯体正面に隣接するようにメイン帯体に取り付けられ、サブ帯体背面は、サブ帯体右端部分に近接した箇所に第四接合部を含み、サブ帯体背面は、サブ帯体左端部分に近接した箇所に第五接合部を含む。
【０００７】
前記の第一接合部、第二接合部、第三接合部、第四接合部及び第五接合部は、それぞれ、面ファスナである。
【０００８】
前記のサブ帯体は、互いに重畳して連結された上サブ帯体及び下サブ帯体を含む。
【０００９】
前記の穿設用ストリップは、それぞれ、メイン帯体のメイン帯体右端部分及びメイン帯体左端部分に近接するように設けられている。
【００１０】
前記の第三接合部は、第二接合部に対応して接合され、第四接合部は、第一接合部に対応して接合され、第五接合部は、第二接合部に対応して接合されている。
【考案の効果】
【００１１】
従って、上述した構造設計を用いることで、使用の利便性を向上させるという目的を達成することができる。また、永久磁石の磁場の作用により、コルセットベルトは、装着部位の硬直や痛みを和らげ、血液循環を促進するなどの効果を奏することができる。更に、パルスストーンの特性により、コルセットベルトは、装着部位を押圧して刺激する効果を奏することができる。
【図面の簡単な説明】
【００１２】
【図１】図１は、従来のコルセットベルトの立体図である。
【図２】図２は、本実用新案の好ましい具体的な実施例の立体図である。
【図３】図３は、本実用新案の好ましい具体的な実施例の他の視角での立体図である。
【図４】図４は、本実用新案の好ましい具体的な実施例の使用模式図その一である。
【図５】図５は、本実用新案の好ましい具体的な実施例の使用模式図その二である。
【考案を実施するための形態】
【００１３】
図２及び図３の両方を参照されたい。図２は、本実用新案の好ましい具体的な実施例の立体図であり、図３は、本実用新案の好ましい具体的な実施例の他の視角での立体図である。
【００１４】
図２及び図３にコルセットベルト１が示されており、このコルセットベルト１は、メイン帯体２を含む。このメイン帯体２は、ストリップ状をなし、メイン帯体右端部分２１と、メイン帯体左端部分２２と、メイン帯体右端部分２１とメイン帯体左端部分２２との間に介在するメイン帯体中間部分２９と、メイン帯体正面２３と、メイン帯体背面２４と、を含む。メイン帯体正面２３は、メイン帯体右端部分２１に近接した箇所に一第一接合部２５を含む。メイン帯体正面２３は、メイン帯体左端部分２２に近接した箇所に第二接合部２６を含む。メイン帯体背面２４は、メイン帯体右端部分２１に近接した箇所に第三接合部２７を含んでいる。
【００１５】
また、メイン帯体２には、複数個の穿設用ストリップ２８が更に付設されており、これらの穿設用ストリップ２８のうち、少なくとも１個がメイン帯体右端部分２１に近接し、少なくとも他の１個がメイン帯体左端部分２２に近接している。
【００１６】
更に、メイン帯体背面２４には、メイン帯体中間部分２９及びメイン帯体左端部分２２で、複数の永久磁石５１及び複数のパルスストーン５２がそれぞれ付設されている。ここで、これらの永久磁石５１及びこれらのパルスストーン５２の数量及び装設位置は特に限られず、使用者４の硬直や痛み箇所に応じて、該当する位置にいくつかの永久磁石５１及びパルスストーン５２を装設すればよい。永久磁石５１の磁場の作用により、コルセットベルト１は、装着部位（腰部４１）の硬直や痛みを和らげ、血液循環を促進するなどの効果を奏することができる。更に、パルスストーン５２の特性により、コルセットベルト１は、装着部位（腰部４１）を押圧して刺激する効果を奏することができるため、月経や、オフィスにおいてずっと座り続けたり、着座姿勢が悪いことによる使用者の腰部の硬直等の問題が解決される。それに、メイン帯体２４に用いられる材料には、チタン、シリコン、ジルコニウム、セレニウム及び銀イオン等の成分が含まれていてもよい。そうすると、該コルセットベルト１は、遠赤外線エネルギー、マイナスイオンの放出や抗菌等の機能を持つようになる。
【００１７】
また、図２及び図３に示すように、これらの穿設用ストリップ２８は、本実施例において、３個であることが好ましい。それぞれがメイン帯体２のメイン帯体正面２３に縫い付けられ、且つその内の１個の穿設用ストリップ２８がメイン帯体２の中央に位置し、他の２個の穿設用ストリップ２８が、それぞれ、メイン帯体２のメイン帯体右端部分２１及びメイン帯体左端部分２２に近接している。
【００１８】
それに、該メイン帯体２には、互いに仕切られた少なくとも１つの収容室（不図示）が更に設けられている。１つの好ましい実施例において、該収容室は、メイン帯体中間部分２９及びメイン帯体左端部分２２に設けられてもよい。そうすると、使用者４がコルセットベルト１腰部に巻き付けた際、メイン帯体中間部分２９に設けられている収容室は、使用者４の腹前に位置する一方、メイン帯体左端部分２２に設けられている収容室は、使用者４の背後に位置することになり、そこには、財布や湯たんぽのような物品を置くことが可能である。しかも、物品が収容室から落下することを防止するために、収容室６の開口にチャック、ボタン、面ファスナ、スナップ等の封止部材を設けて、該封止部材を用いて収容室を密閉した空間にしてもよい。更に、図２及び図３から分かるように、サブ帯体３も、ストリップ状をなし、サブ帯体右端部分３１と、サブ帯体左端部分３２と、サブ帯体正面３３と、サブ帯体背面３４と、を含む。且つ、このサブ帯体３は、メイン帯体２のこれらの穿設用ストリップ２８を通って、サブ帯体背面３４がメイン帯体２のメイン帯体正面２３に隣接するようにメイン帯体２に取り付けられている。
【００１９】
また、サブ帯体３のサブ帯体背面３４は、サブ帯体右端部分３１に近接した箇所に第四接合部３５を含む。サブ帯体背面３４は、サブ帯体左端部分３２に近接した箇所に第五接合部３６を含む。
【００２０】
図４及び図５の両方を参照されたい。図４は、本実用新案の好ましい具体的な実施例の使用模式図その一であり、図５は、本実用新案の好ましい具体的な実施例の使用模式図その二であり、図２及び図３も合わせて参照されたい。
【００２１】
図に示すように、コルセットベルト１を使用する際、使用者４は、メイン帯体２の第三接合部２７をメイン帯体２の第二接合部２６に対応して接合させてメイン帯体２を使用者４の腰部４１に縛ってから、サブ帯体３の第四接合部３５をメイン帯体２の第一接合部２５に対応して接合させ、サブ帯体３の第五接合部３６をメイン帯体２の第二接合部２６に対応して接合させてサブ帯体３を使用者４の腰部４１に縛ることが可能である。この時、メイン帯体２とサブ帯体３との二重拘束により、コルセットベルト１は、しっかりと使用者４の腰部４１に縛られることができる。
【００２２】
また、上述したコルセットベルト１の構造設計において、サブ帯体３が、メイン帯体２のこれらの穿設用ストリップ２８を通ってメイン帯体２に取り付けられる。且つ、これらの穿設用ストリップ２８のうちの２個が、それぞれ、メイン帯体２のメイン帯体右端部分２１及びメイン帯体左端部分２２に近接しているため、サブ帯体３の下垂が発生することがない。即ち、使用の際、使用者４の手部４２は、（図４に示すように）サブ帯体３を容易に掴んで、サブ帯体３を腰部４１に縛ることができる。換言すれば、上述した構造設計により、使用の利便性を向上させるという目的を達成することができる。
【００２３】
それに、上記コルセットベルト１によれば、メイン帯体背面２４には、メイン帯体中間部分２９及びメイン帯体左端部分２２で、複数の永久磁石５１及び複数のパルスストーン５２がそれぞれ付設されている。従って、永久磁石５１の磁場の作用により、コルセットベルト１は、装着部位（腰部４１）の硬直や痛みを和らげ、血液循環を促進するなどの効果を奏することができる。更に、パルスストーン５２の特性により、コルセットベルト１は、装着部位（腰部４１）を押圧して刺激する効果を奏することができる。
【００２４】
上述した第一接合部２５、第二接合部２６、第三接合部２７、第四接合部３５及び第五接合部３６は、本実施例において、それぞれ、面ファスナになっている。面ファスナの着脱が容易であるという特性により、第一接合部２５、第二接合部２６、第三接合部２７、第四接合部３５及び第五接合部３６は、より使用しやすくなる。勿論、上述した第一接合部２５、第二接合部２６、第三接合部２７、第四接合部３５及び第五接合部３６は、面ファスナに限られず、例えばフック、ボタン、ボタン型スナップ等、接合効果のある接合部材を使用してもよい。
【００２５】
図２を再度参照して、本実施例において、サブ帯体３は、互いに重畳して連結された上サブ帯体３０１及び下サブ帯体３０２を含んでいる。更に説明すると、上サブ帯体３０１の両端の内側が、対応する側の下サブ帯体３０２の外端に個別に縫い付けられている。これにより、該上サブ帯体３０１と該下サブ帯体３０２とが互いに重なり合うようになり、且つ、上サブ帯体３０１と下サブ帯体３０２とが、使用者４の腰囲に応じて、互いの位置を適応的に調整することが可能である。例を挙げて説明すると、使用者４の腰囲が大きいほど、上サブ帯体３０１を下サブ帯体３０２から離れるようにスライドさせて、外観として、中間の方が広くて両側の方が狭くなる態様にするのに対して、使用者４の腰囲が小さいほど、上サブ帯体３０１を下サブ帯体３０２に近づくようにスライドさせる。上述したのは、あくまでも本実用新案の好ましい具体的な実施例に過ぎず、本実用新案を制限するためのものではなく、本実用新案の精神及び原則の範囲内で成され修正、同等的置換、改善等は、いずれも本実用新案の保護範囲内に含まれるべきである。
【符号の説明】
【００２６】
１      コルセットベルト
２      メイン帯体
２１    メイン帯体右端部分
２２    メイン帯体左端部分
２３    メイン帯体正面
２４    メイン帯体背面
２５    第一接合部
２６    第二接合部
２７    第三接合部
２８    穿設用ストリップ
２９    メイン帯体中間部分
３      サブ帯体
３０１  上サブ帯体
３０２  下サブ帯体
３１    サブ帯体右端部分
３２    サブ帯体左端部分
３３    サブ帯体正面
３４    サブ帯体背面
３５    第四接合部
３６    第五接合部
４      使用者
４１    腰部
４２    手部
５１    永久磁石
５２    パルスストーン
【図１】
0003225584.tif 000003
【図２】
0003225584.tif 000004
【図３】
0003225584.tif 000005
【図４】
0003225584.tif 000006
【図５】
0003225584.tif 000007